(57)【特許請求の範囲】
【請求項１】
角部が湾曲した略矩形状可撓性幕の外周縁に弾性に富んだ無端フレームが付設されて１枚の略矩形状壁面が形成され、４枚の該略矩形状壁面の両側縁がそれぞれ相互に折畳み可能に順次連続して連結されることにより、前記４枚の略矩形状壁面でもって筒状周壁部が構成され、該筒状周壁部の上部に可撓性天幕が張られて屋根が設けられた折畳み式テントにおいて、
前記４枚の略矩形状壁面内の１枚の略矩形状壁面に左右いずれか一方に開いたＵ字状ファスナー切断縁が形成されて、このＵ字状ファスナー切断縁により開閉扉部が構成され、
前記Ｕ字状ファスナー切断縁に１対のファスナーのスライダーが移動可能に設けられ、前記開閉扉部の内側面に、目隠し幕の上下方向に指向した一側縁が一体に接着され、
前記略矩形状壁面の内側面におけるＵ字状ファスナー切断縁の上方湾曲部側に、前記目隠し幕の他側縁上端部が係脱可能に係合しうる目隠し幕閉塞状態保持用係止手段が設けられたことを特徴とする折畳み式テント。
【請求項２】
角部が湾曲した略矩形状可撓性幕の外周縁に弾性に富んだ無端フレームが付設されて１枚の略矩形状壁面が形成され、４枚の該略矩形状壁面の両側縁がそれぞれ相互に折畳み可能に順次連続して連結されることにより、前記４枚の略矩形状壁面でもって筒状周壁部が構成され、該筒状周壁部の上部に可撓性天幕が張られて屋根が設けられた折畳み式テントにおいて、
前記４枚の略矩形状壁面内の１枚の略矩形状壁面に左右いずれか一方に開いたＵ字状ファスナー切断縁が形成されて、このＵ字状ファスナー切断縁により開閉扉部が構成され、
前記Ｕ字状ファスナー切断縁に１対のファスナーのスライダーが移動可能に設けられ、前記開閉扉部の内側面に、目隠し幕の上下方向に指向した一側縁が一体に接着され、
前記開閉扉部が設けられている前記開閉扉部付設の略矩形状壁面の内側面におけるＵ字状ファスナー切断縁のＵ字状開口部の上方開口端側に、前記目隠し幕の他端縁上端部が係脱可能に係合しうる開閉扉部開放状態保持用係止手段が設けられたことを特徴とする折畳み式テント。
【請求項３】
前記開閉扉部と前記目隠し幕とを、鉛直線に沿って収束された状態で前記開閉扉付設の略矩形状壁面に保持する巻取り手段が前記開閉扉部付設の略矩形状壁面に設けられたことを特徴とする請求項１または請求項２記載の折畳み式テント。
【発明の詳細な説明】
【技術分野】
【０００１】
テントの開閉扉部が開放状態であっても、テント内のプライバシーが確保できる折畳み式テントに関するものである。
【背景技術】
【０００２】
可撓性幕でテント壁面が構成された折畳み式テントでは、折畳み式テント内部を開閉可能に密閉するために、折畳み式テント壁面に形成されたファスナー切断縁でもって開閉扉部が構成され、このファスナー切断縁にファスナーが摺動可能に設けられたものがある（特許文献１）。
【先行技術文献】
【特許文献】
【０００３】
【特許文献１】意匠登録第１３０１５６５号
【発明の概要】
【発明が解決しようとする課題】
【０００４】
前記特許文献１記載の折畳み式テントでは、角部が湾曲した矩形状の合成樹脂製幕の外周縁挿通部に鋼製無端ベルトを挿入して１枚の壁面を形成し、４枚の壁面の両側縁を相互に折畳み可能に結合することにより、４角筒状周壁部が形成され、該４角筒状周壁部の上縁に合成樹脂製の屋根が一体に結合されることにより、折畳み式テントが構成されている。
【０００５】
前記特許文献１記載の折畳み式テントにおいて、前記４角筒状周壁部の正面の壁面には、Ｕ字状の開放端が左右いずれか一方に向いたＵ字状ファスナー切断縁が形成されて開閉扉部が構成されている。このＵ字状ファスナー切断縁に設けられたファスナーには、１対のスライダーが相互に離隔または接近可能に取付けられている。折畳み式テント利用者は、この１対のスライダーを相互に離隔させることにより、開閉扉部を開放でき、折畳み式テントへの出入が自由にできるようになっていた。
頻繁な出入が行われる各種相談室に前記特許文献１記載の折畳み式テントを利用する場合、プライバシーを確保するために、折畳み式テント利用者は、出入の都度、煩雑なファスナー開閉操作を行わなければならない難点があった。また、頻繁にファスナー開閉操作を行うためにファスナーが損傷し易い難点があった。
【０００６】
本発明の目的は、開閉扉部にファスナーが設けられた折畳み式テントにおいて、折畳み式テント利用者が、プライバシー確保のために開閉扉部を開閉操作しなくても折畳み式テント内に簡単に出入できる折畳み式テントを提供することにある。
【課題を解決するための手段】
【０００７】
請求項１記載の発明は、角部が湾曲した略矩形状可撓性幕の外周縁に弾性に富んだ無端フレームが付設されて１枚の略矩形状壁面が形成され、４枚の該略矩形状壁面の両側縁がそれぞれ相互に折畳み可能に順次連続して連結されることにより、前記４枚の略矩形状壁面でもって筒状周壁部が構成され、該筒状周壁部の上部に可撓性天幕が張られて屋根が設けられた折畳み式テントにおいて、
前記４枚の略矩形状壁面内の１枚の略矩形状壁面に左右いずれか一方に開いたＵ字状ファスナー切断縁が形成されて、このＵ字状ファスナー切断縁により開閉扉部が構成され、
前記Ｕ字状ファスナー切断縁に１対のファスナーのスライダーが移動可能に設けられ、前記開閉扉部の内側面に、目隠し幕の上下方向に指向した一側縁が一体に接着され、
前記略矩形状壁面の内側面におけるＵ字状ファスナー切断縁の上方湾曲部側に、前記目隠し幕の他側縁上端部が係脱可能に係合しうる目隠し幕閉塞状態保持用係止手段が設けられたことを特徴とする折畳み式テントである。
【０００８】
請求項２記載の発明は、角部が湾曲した略矩形状可撓性幕の外周縁に弾性に富んだ無端フレームが付設されて１枚の略矩形状壁面が形成され、４枚の該略矩形状壁面の両側縁がそれぞれ相互に折畳み可能に順次連続して連結されることにより、前記４枚の略矩形状壁面でもって筒状周壁部が構成され、該筒状周壁部の上部に可撓性天幕が張られて屋根が設けられた折畳み式テントにおいて、
前記４枚の略矩形状壁面内の１枚の略矩形状壁面に左右いずれか一方に開いたＵ字状ファスナー切断縁が形成されて、このＵ字状ファスナー切断縁により開閉扉部が構成され、
前記Ｕ字状ファスナー切断縁に１対のファスナーのスライダーが移動可能に設けられ、前記開閉扉部の内側面に、目隠し幕の上下方向に指向した一側縁が一体に接着され、
前記開閉扉部が設けられている前記開閉扉部付設の略矩形状壁面の内側面におけるＵ字状ファスナー切断縁のＵ字状開口部の上方開口端側に、前記目隠し幕の他端縁上端部が係脱可能に係合しうる開閉扉部開放状態保持用係止手段が設けられたことを特徴とする折畳み式テントである。
【０００９】
請求項３記載の発明は、前記開閉扉部と前記目隠し幕とを、鉛直線に沿って収束された状態で前記開閉扉付設の略矩形状壁面に保持する巻取り手段が前記開閉扉部付設の略矩形状壁面に設けられたことを特徴とする請求項１または請求項２記載の折畳み式テントである。
【発明の効果】
【００１０】
請求項１記載の発明では、４枚の略矩形状壁面内の１枚の略矩形状壁面に左右いずれか一方に開いたＵ字状ファスナー切断縁が形成されて、このＵ字状ファスナー切断縁により開閉扉部が構成され、前記Ｕ字状ファスナー切断縁には、１対のファスナーのスライダーが移動可能に設けられている。その結果、該１対のスライダーを相互に接近させることにより、前記開閉扉部が密閉され、また、前記接近した１対のスライダーを離隔させることにより、前記開閉扉部が開放される。
前記開閉扉部の内側面には、目隠し幕の上下方向に指向した一側縁が一体に接着されている。また、前記開閉扉部が設けられている前記略矩形状壁面の内側面におけるＵ字状ファスナー切断縁のＵ字状開口部の上方湾曲部側に、前記目隠し幕の他端上端部が係脱可能に係合しうる目隠し幕閉塞状態保持用係止手段が設けられている。前記１対のスライダーが相互に離隔されて、前記開閉扉部が開放された状態において、前記目隠し幕の他端上端部を前記目隠し幕閉塞状態保持用係止手段に係止することにより、開放状態の前記開閉扉部の開口部が前記目隠し幕によって閉塞され、折畳み式テント内のプライバシーが確保される。さらに、折畳み式テント利用者は、煩雑なファスナー開閉操作を行うことなく折畳み式テント内のプライバシーを確保できるため、ファスナーの損傷を低減することができる。
【００１１】
請求項２記載の発明では、前記開閉扉部が設けられている前記開閉扉部付設の略矩形状壁面の内側面におけるＵ字状ファスナー切断縁のＵ字状開口部の上方開口端側に、前記目隠し幕の他端上端部が係脱可能に係合しうる開閉扉部開放状態保持用係止手段が設けられている。その結果、前記開閉扉部が開放された状態において、前記目隠し幕の他端上端部を前記開閉扉部開放状態保持用係止手段に係止することにより、前記目隠し幕が該開閉扉部の開口に張出すことが阻止され、折畳み式テント利用者は該開口を介して折畳み式テント内へ出入を円滑に行うことができる。また、折畳み式テント利用者は、ファスナー開閉操作を行うことなく折畳み式テント内への出入を行うことができるため、ファスナーの損傷を低減することができる。
【００１２】
請求項３記載の発明では、前記開閉扉部と前記目隠し幕とを、鉛直線に沿って収束された状態で前記開閉扉付設の略矩形状壁面に保持する巻取り手段が該開閉扉部付設の略矩形状壁面に設けられているため、前記開閉扉部と前記目隠し幕とを略矩形状壁面にコンパクトに固定できる結果、開閉扉部付近の整理がつき、開閉扉部と目隠し幕とがばらばらにはためくことがない。また、該開閉扉部を確実に開放状態に設定でき、折畳み式テント内への出入を円滑に行うことができる。
【図面の簡単な説明】
【００１３】
【図１】本願発明の折畳み式テントを正面右上側から見た斜視図である。
【図２】図１に図示した状態の正面図である。
【図３】図１に図示した状態の右側面図である。
【図４】図１に図示した状態の底面図である。
【図５】図１に図示した状態でテント内から屋根の下面を屋根に向かって見た図面である。
【図６】図２に図示した折畳み式テントで、鉛直線を中心に開閉扉部および目隠し幕を渦巻状に巻付けた状態を図示した正面図である。
【図７】目隠し幕の先端上端部が、テント内側壁面の目隠し幕閉塞状態保持用係止手段に係合された状態を図示した、テント内から正壁面を見た図面である。
【図８】目隠し幕の先端上端部が、テント内側壁面の開閉扉部開放状態保持用係止手段に係合された状態を図示した、テント内から正壁面を見た図面である。
【図９】折畳み式テントの壁面に設けられた網製窓部を開閉窓幕で覆った状態をテント内から見た図面である。
【図１０】折畳み式テントの壁に設けられた網製窓部に付設された開閉窓幕を渦巻状に巻いて窓幕巻取り手段で網製窓部の下縁に固定した状態をテント内から見た図面である。
【図１１】床シートの角部に設けられた連結用孔に、筒状周壁部の両側縁下部に設けられたフックを係合する状態を図示した図面である。
【図１２】屋根支持棒が複数の折畳み部片からなり、屋根支持棒が１本の棒状態に変換できる構造を図示した要部縦断面図である。
【図１３】隣接する壁面の内側面に設けられた屋根支持棒係合手段に屋根支持棒が係合した状態を図示した図面である。
【図１４】筒状周壁部を右斜方向から見た斜視図である。
【図１５】筒状周壁部の手前側の側縁ＢＦを対角位置の側縁ＤＨに重ねた状態を図示した図面である。
【図１６】図15に図示した状態から中央の側縁ＢＤ、ＦＨを軸に右方の壁面３、４の上に左方の壁面２、５を重ねて折畳んだ状態を図示した図面である。
【図１７】図16に図示した状態から角部ＡＣに向け対角位置の角部ＦＨを接近させると共に角部ＥＧを角部ＢＤに接近させる状態を図示した図面である。
【図１８】図17に図示した状態からさらに角部ＡＣ−角部ＦＨ間、角部ＥＧ−角部ＢＤ間の距離を短縮した状態を図示した図面である。
【図１９】図18に図示した状態からさらに角部ＥＧ−角部ＢＤ間の距離を短縮した状態を図示した図面である。
【図２０】図19に図示した状態から角部ＦＨに時計方向の捻りを加えながら重ねた角部の一方を内側に引き込む状態を図示した図面である。
【図２１】図20に図示した状態から角部ＦＨ、ＥＧ同士を矢印に図示されるように交互に逆方向へ引き込む状態を図示した図面である。
【図２２】図21に図示した状態から無端フレームを重ね合わせて厚円盤状に折畳んだ状態を図示した図面である。
【図２３】図22に図示した厚円盤状に折畳んだテントを収納ケースに収納する状態を図示した図面である。
【図２４】折畳まれた折畳み式テントを、収納ケースに収納した状態を図示した図面である。
【発明を実施するための形態】
【００１４】
以下、図１ないし図13に図示された本発明に係る折畳み式テント０の第一の実施例について説明する。
折畳み式テント０は、筒状周壁部１と屋根30とで構成されている。
筒状周壁部１は、図１に図示されるように、４枚の角部が湾曲した略矩形状壁面２、３、４、５の側縁を相互に折畳み可能に連結することで構成されている。また、前記４枚の壁面２、３、４、５は、角部にて湾曲した略矩形状の合成樹脂製可撓性幕６の外周縁にベルト挿通部７が形成され、そのベルト挿通部７に、図示されない弾性に富んだ無端フレームに相当する厚さが１〜２mm、幅が５〜10mm程度の鋼製帯状無端ベルトが挿入されることによって構成されている。なお、前記可撓性幕６の素材は、炭素繊維で補強された合成樹脂製シートや、防水処理が施された布であってもよい。
【００１５】
筒状周壁部１における正壁面２には、図２に図示されるように、Ｕ字の開放端が左方に向いたＵ字状ファスナー切断縁８が形成されて開閉扉部９が構成されている。このＵ字状ファスナー切断縁８に設けられたファスナーには、１対のスライダー10が相互に離隔または接近可能に取付けられている。なお、前記ファスナー切断縁８の開放端の方向は、左方に限定されるものではなく、右方であってもよい。
【００１６】
図７および図８に図示されるように、前記開閉扉部９の内側面には、目隠し幕20の上下方向に指向した一側縁20aが一体に接着されている。図７に図示されるように、前記正壁面２の内側面におけるＵ字状ファスナー切断縁８のＵ字状開口部の上方湾曲部側に、前記目隠し幕20の他端上端部20bが係脱可能に係合しうる目隠し幕閉塞状態保持用係止手段21が設けられている。前記目隠し幕閉塞状態保持用係止手段21に前記目隠し幕20の他端上端部20bを係止することで、開放状態の前記開閉扉部９の開口部が前記目隠し幕20によって閉塞され、折畳み式テント内のプライバシーが確保される。
【００１７】
また、図８に図示されるように、前記正壁面２の内側面におけるＵ字状ファスナー切断縁８の上方開口端側に、前記目隠し幕20の他側縁上端部20bが係脱可能に係合しうる開閉扉部開放状態保持用係止手段22が設けられている。前記開閉扉部開放状態保持用係止手段22に前記目隠し幕20の他端上端部20bを係止することで、前記目隠し幕20が該開閉扉部９の開口に張出すことが阻止され、折畳み式テント利用者の該開口を介して折畳み式テント内への出入を円滑に行うことができる。
【００１８】
図１および図２に図示されるように、前記正壁面２の外側面におけるＵ字状ファスナー切断縁８のＵ字状開口部に隣接して、前記開閉扉部９と前記目隠し幕20とを巻取って固定する巻取り手段11aが設けられている。この巻取り手段11aは、一端が正壁面２に結着され、他端に係止爪が結着されている紐により構成されている。また、前記正壁面２の内側面におけるＵ字状ファスナー切断縁８のＵ字状開口部に隣接して、前記開閉扉部９と前記目隠し幕20とを巻取って固定する巻取り手段11bが設けられている。この巻取り手段11bは、両端を正壁面内側面にループ状に結着した紐により構成されている。これらの巻取り手段11を用いることで、前記開閉扉部９と前記目隠し幕20とを略矩形状壁面２にコンパクトに固定でき、該開閉扉部９と該目隠し幕20とがそれぞれ前記開閉扉部９の外側と内側とに分れて不規則にはためくことを阻止して前記開閉扉部の開口部を確実に開放状態に設定でき、折畳み式テント内への出入を円滑に行うことができる。
【００１９】
前記壁面２、３、４、５の内、右壁面３、背壁面４、左壁面５には、図９および図10に図示されるように、Ｕ字の開放端が下方向に向いたＵ字状窓ファスナー切断縁12が形成されて開閉窓幕13が構成されている。このＵ字状窓ファスナー切断縁０に設けられたファスナーには、１対の窓用スライダー(15)が相互に離隔または接近可能に取付けられている。前記開閉窓幕13には網製窓部(14)が設けられている。前記網製窓部(14)の内側面下端縁には、前記開閉窓幕13を巻取って固定する窓巻き取り手段(16)が設けられている。この巻取り手段(16)は、一端が網製窓部(14)の下端縁に結着され、他端に係止爪が結着されている紐(16a)と両端が網製窓部(14)の下端縁にループ状に結着された紐(16b)とにより一対に構成されている。その結果、前記窓巻取り手段(16)に巻取った開閉窓幕13を固定することで、テント内を換気し、または、テント内を採光できる。
【００２０】
さらに、壁面２、３、４、５の結合側縁下部には、アンカー連結片18と床シート連結用フック52が設けられている。前記アンカー連結片18には、図示されない地中に打込まれるアンカーが必要に応じて挿入される。前記床シート連結用フック52が、図11に図示されるように、床シート50の角部の連結用孔51に係脱自在に係合される結果、前記可撓性幕６および開閉扉部９と床シート50との間に隙間が生ずることがなく、前記折畳み式テント０外の風が、前記折畳み式テント０内に侵入して前記折畳み式テント０が浮上ることが未然に阻止される。
【００２１】
屋根30は、筒状周壁部１の可撓性幕６と同様に合成樹脂製シートにより構成され、該筒状周壁部の上部に可撓性天幕が張られて前記筒状周壁部１の平面形と相似した形状に前記筒状周壁部１と一体に形成される。なお、屋根30の素材は、炭素繊維で補強された合成樹脂製シートまたは防水処理が施された布であってもよい。
【００２２】
壁面２、３、４、５の内側面周側縁上部には、図11に図示するように、屋根支持棒40が係合できる厚地布製の製屋根支持棒係合手段32が一体に接合される。
前記屋根支持棒係合手段32に係合できる屋根支持棒40は、管状体であって、長手方向に亘って複数個の分割片41に分割され、分割片41の一方の端部外周面に接続管42が一体に嵌着されている。前記分割片41には、全分割片41に亘って伸縮性に富んだ弾性紐43が挿入されている。前記弾性紐43の両端は、屋根支持棒40の両端に位置した分割片41に一体に結合されている。複数の分割片41が隣接する分割片41と一体の接続管42に嵌合した状態では、複数の分割片41が一直線上に一体に連結されて、１本の屋根支持棒40となる。
前記屋根支持棒係合手段32に、十字状に交差した２本の屋根支持棒40の両端を係合することにより、前記屋根30は、上方へ湾曲した屋根支持棒40の弾性復元力によりドーム状に形成される。
【００２３】
また、隣接する分割片41を弾性紐43の張力に逆らって引張ることにより、隣接する分割片41は相互に分離して屋根支持棒40は折曲げ可能状態となる。その結果、テント折畳み状態において、可撓性幕製の屋根30をドーム状に形成する細長い屋根支持棒の長さを短縮することで、厚円盤状ケース53内、または厚円盤状ケース内に設けられた収納部に屋根支持棒40を収納でき、屋根支持棒40がテント運搬の際の障害にならない。なお、前記接続管42は、分割片41の端部内周面に嵌着されてもよい。
【００２４】
本実施例の折畳み式テント０は、前記正壁面２の内側面におけるＵ字状ファスナー切断縁８のＵ字状開口部の上方湾曲部側に、前記目隠し幕20の他端上端部20bが係脱可能に係合しうる目隠し幕閉塞状態保持用係止手段21が設けられている。前記目隠し幕閉塞状態保持用係止手段21に前記目隠し幕20の他端上端部20bを係止することで、開放状態の前記開閉扉部９の開口部が前記目隠し幕20によって閉塞され、折畳み式テント内のプライバシーが確保される。その結果、折畳み式テント利用者は、煩雑なファスナー開閉操作を行うことなく折畳み式テント内のプライバシーを確保できるため、ファスナーの損傷を低減することができる。
【００２５】
さらに、前記正壁面２の内側面におけるＵ字状ファスナー切断縁８の上方開口部側に、前記目隠し幕20の他側縁上端部20bが係脱可能に係合しうる前記開閉扉部開放状態保持用係止手段22が設けられている。前記開閉扉部開放状態保持用係止手段22に前記目隠し幕20の他端上端部20bを係止することで、前記目隠し幕20が該開閉扉部９の開口に張出すことが阻止され、折畳み式テント利用者は該開口を介して折畳み式テント内への出入を円滑に行うことができる。その結果、折畳み式テント利用者は、ファスナー開閉操作を行うことなく折畳み式テント内への出入を円滑に行うことができるため、ファスナーの損傷を低減することができる。
【００２６】
折畳み式テント０の筒状周壁部１における４枚の壁面２、３、４、５の各両側縁を相互に連結することにより、筒状周壁部１は、図１および図14に図示されるように、水平横断面形状が正方形の筒状体に形成される。
【００２７】
また、正方形の筒状周壁部１は、下記の作業により、厚円盤状に折畳むことができる。
４枚の壁面２、３、４、５の各両側縁を相互に折畳み可能に接合し、４枚の壁面２、３、４、５は、各部にて湾曲した略矩形状の可撓性幕６の外周縁にベルト挿通部７を形成し、図示されない弾性に富んだ無端フレームに相当する厚さが１〜２mm程度の鋼製帯状無端フレームを前記ベルト挿通部７に挿入することにより前記壁面２、３、４、５を形成したため、特許文献１記載のテントと同様に、前記筒状周壁部１は下記の作業を行うことにより、折畳むことができる。具体的には、図14に図示される筒状周壁部１において、正壁面２と右壁面３との上下連結部ＢＦを、対角位置にある背壁面４と左壁面５との上下連結部ＤＨに向かって接近させると、図15に図示されるように、背壁面４と左壁面５との上下連結部ＤＨの上に正壁面２と右壁面３との上下連結部ＢＦが重ねられる。さらに、右壁面３と背壁面４との上下連結部ＣＧの上に、正壁面２と左壁面５との上下連結部ＡＥが重ねられると、図16に図示される状態となる。
【００２８】
次に、図17、18、19に図示するように、角部ＦＨを角部ＡＣに接近させながら、角部ＥＧと角部ＢＤを接近させる。その後、図20に図示するように、鋼製帯状無端フレームに時計方向の捻りを加えながら、角部ＦＨを角部ＡＣから手前に向かって離間させるように角部ＥＧの下部へ動かすと共に、角部ＥＧを角部ＢＤの下部へ動かす。次に、図21に図示するように、角部ＥＧは、角部ＦＨを抱き込みながら平面視時計回り方向へ回し、角部ＡＣへ接近させると共に、角部ＢＤは、角部ＥＧを抱き込みながら平面視時計回り方向へ回し、角部ＦＨへ接近させる。その状態で、鋼製無端フレームを重なるように折畳むと、図22に図示されるように、筒状周壁部１は厚円盤状に折畳まれ、図23に図示されるように、厚円盤状ケース53に収納される。
【００２９】
このように、上述の作業を行うことにより、上下端が開口した筒状周壁部１を容易に厚円盤状に折畳むことができると共に、特別な手順を知らなくとも、鋼製帯状無端フレームの弾性復元力により、極めて容易に折畳み式テント０を組み立てることができる。
【産業上の利用可能性】
【００３０】
災害時に体育館内に設置されて利用される災害用折畳み式テントであるが、アウトドアやボランティア団体で市街地に採血場所を設定する際に、採血の受付用テントにも適用される。
【符号の説明】
【００３１】
０…折畳み式テント、１…筒状周壁部、２…正壁面、３…右壁面、４…背壁面、５…左壁面、６…可撓性幕、７…ベルト挿通部、８…Ｕ字状ファスナー切断縁、９…開閉扉部、10…スライダー、11…巻取り手段、12…窓ファスナー切断縁、13…開閉窓幕、14…網製窓部、15…窓用スライダー、17…アンカー挿入孔、18…アンカー連結片、19…下閉塞面、20…目隠し幕、21…目隠し幕閉塞状態保持用係止手段、22…開閉扉部開放状態保持用係止手段、30…屋根、31…角部、32…屋根支持棒係合手段、33…屋根接合手段、40…屋根支持棒、41…分割片、42…接続管、43…弾性紐、50…床シート、51…連結用孔、52…床シート連結用フック、53…厚円盤状ケース
【要約】
【課題】折畳み式テント利用者が、プライバシー確保のために開閉扉部を開閉操作しなくても折畳み式テント内に簡単に出入できる折畳み式テントを提供することである。
【解決手段】開閉扉部の内側面に目隠し幕の一端縁を接着し、目隠し幕の他端縁を係止できる係止手段を開閉扉部の上方縁端部側に設ける。開閉扉部が開放状態において、目隠し幕の他端縁を、目隠し幕によって開口部を閉塞できる係止手段に係止することで、テント利用者は、開閉扉部の開閉操作を行うことなく折畳み式テント内のプライバシーが確保でき、ファスナーの損傷を低減することができる。
【選択図】図７【図１】
0005572747.tif 000002
【図２】
0005572747.tif 000003
【図３】
0005572747.tif 000004
【図４】
0005572747.tif 000005
【図５】
0005572747.tif 000006
【図６】
0005572747.tif 000007
【図７】
0005572747.tif 000008
【図８】
0005572747.tif 000009
【図９】
0005572747.tif 000010
【図１０】
0005572747.tif 000011
【図１１】
0005572747.tif 000012
【図１２】
0005572747.tif 000013
【図１３】
0005572747.tif 000014
【図１４】
0005572747.tif 000015
【図１５】
0005572747.tif 000016
【図１６】
0005572747.tif 000017
【図１７】
0005572747.tif 000018
【図１８】
0005572747.tif 000019
【図１９】
0005572747.tif 000020
【図２０】
0005572747.tif 000021
【図２１】
0005572747.tif 000022
【図２２】
0005572747.tif 000023
【図２３】
0005572747.tif 000024
【図２４】
0005572747.tif 000025